(57)【要約】【課題】安価且つ着用が容易で、装着感、通電性に優れた電気刺激器具を提供する。【解決手段】本発明に係る電気刺激器具８０は装着部３０を薄く伸縮性を備えた導電性を有する経編布３２で構成するため、使用者に運動機能障害がある場合でも比較的楽に装着することができる。また、装着部３０が薄く素肌にフィットするため優れた装着感を有するとともに、肌との接触抵抗が低くパルス電圧を装着部位に効率的に印加することができる。さらに、装着部３０による電気刺激を行いながらリハビリテーションを行うことが可能であり、これによる更なる機能回復の効果が期待できる。【選択図】図１
2015146947.tif 000002
【特許請求の範囲】
【請求項１】
導電性を有する経編布で形成され身体の特定部位に装着する装着部と、
前記装着部から所定の間隔をとって身体に設置する電極部と、
前記装着部と前記電極部との間に所定の電圧を間欠的に印加する電源部と、を備え、
前記経編布は、
編糸と、前記編糸に芯糸として挿入される挿入糸を有し、前記挿入糸は銀メッキにより導電性を付与された導電糸を含み、
前記導電糸と前記電源部とが導通することで前記特定部位に所定の電圧の電気刺激を与えることを特徴とする電気刺激器具。
【請求項２】
前記導電糸が第１の導電糸と第２の導電糸で構成され、前記第１の導電糸と第２の導電糸とが経編布内で交叉して互いに導通することを特徴とする請求項１記載の電気刺激器具。
【請求項３】
第１の導電糸が経編布の互いに隣接するウェールの間で左右に振られており、
第２の導電糸が経編布の互いに隣接するウェールの間で前記第１の導電糸とは反対方向に左右に振られており、
これにより、第１の導電糸と第２の導電糸とが隣接するウェールの間で交叉して第１の導電糸と第２の導電糸とが電気的に導通することを特徴とする請求項２記載の電気刺激器具。
【請求項４】
装着部が、経皮的神経電気刺激を行うことのできる帽子、シャツ、テープであることを特徴とする請求項１乃至請求項３のいずれかに記載の電気刺激器具。
【発明の詳細な説明】
【技術分野】
【０００１】
本発明は、慢性疼痛疾患の治療に用いられる経皮的神経電気刺激療法用の電気刺激器具に関するものである。
【背景技術】
【０００２】
超高齢化社会をむかえる日本において、患者に優しい低コスト医療の提供が必要不可欠になりつつある。また、人は加齢とともに慢性疼痛疾患への罹患率が高くなる傾向がある。このような慢性疼痛疾患の治療では、物理療法のひとつである経皮的神経電気刺激（ＴＥＮＳ：Transctanueous  Electrical  Nerve  Stimulation）療法により症状が改善される人が多く見られる。また、近年の脳科学の進歩により、経頭蓋磁気脳刺激法による記憶や認知等の脳の高次機能回復への応用も開始されている。
【０００３】
また、運動機能障害に対して、アメリカベーラー医科大学のDimitrijevic教授らは銀格子電極による低周波刺激治療（経皮的神経電気刺激療法）が、巧緻運動の機能回復に有効であると１９９６年に報告している。尚、このような機能障害を有する部位に電気刺激を与える電気治療器具としては、下記［特許文献１］が開示されている。
【０００４】
また、下記［特許文献２］には導電性を有する経編地に関する発明が開示されている。
【先行技術文献】
【特許文献】
【０００５】
【特許文献１】米国特許第５３７４２８３号明細書
【特許文献２】特許第４３０７４６６号公報
【発明の概要】
【発明が解決しようとする課題】
【０００６】
上記の経皮的神経電気刺激（ＴＥＮＳ）療法には、様々な材質を用いた様々な大きさの表面電極が用いられる。このような表面電極として、例えばシルバーコートクロス電極などの導電性繊維型電極が市販されているが、装着感や伸縮性に劣るため、特に運動機能障害を有する使用者が着用に時間を要するという問題点がある。さらに、電気刺激の印加には銀電極が効果的であるが、銀の使用量が多い場合、装着部が高価となるという問題点がある。
【０００７】
本発明は上記事情に鑑みてなされたものであり、安価且つ着用が容易で、装着感に優れた経皮的神経電気刺激療法用の電気刺激器具を提供することを目的とする。
【課題を解決するための手段】
【０００８】
本発明は、
（１）導電性を有する経編布３２で形成され身体の特定部位に装着する装着部３０と、前記装着部３０から所定の間隔をとって身体に設置する電極部４０と、前記装着部３０と前記電極部４０との間に所定の電圧を間欠的に印加する電源部３４と、を備え、
前記経編布３２は、編糸１００と、前記編糸１００に芯糸として挿入される挿入糸を有し、前記挿入糸は銀メッキにより導電性を付与された導電糸２００ａ、２００ｂを含み、前記導電糸２００ａ、２００ｂと前記電源部３４とが導通することで前記特定部位に所定の電圧の電気刺激を与えることを特徴とする電気刺激器具８０を提供することにより、上記課題を解決する。
（２）前記導電糸が第１の導電糸２００ａと第２の導電糸２００ｂで構成され、前記第１の導電糸２００ａと第２の導電糸２００ｂとが経編布３２内で交叉して互いに導通することを特徴とする上記（１）記載の電気刺激器具８０を提供することにより、上記課題を解決する。
（３）第１の導電糸２００ａが経編布３２の互いに隣接するウェールの間で左右に振られており、第２の導電糸２００ｂが経編布３２の互いに隣接するウェールの間で前記第１の導電糸２００ａとは反対方向に左右に振られており、
これにより、第１の導電糸２００ａと第２の導電糸２００ｂとが隣接するウェールの間で交叉して第１の導電糸２００ａと第２の導電糸２００ｂとが電気的に導通することを特徴とする上記（２）記載の電気刺激器具８０を提供することにより、上記課題を解決する。
（４）装着部３０が、経皮的神経電気刺激を行うことのできる帽子、シャツ、テープであることを特徴とする上記（１）乃至（３）のいずれかに記載の電気刺激器具８０を提供することにより、上記課題を解決する。
【発明の効果】
【０００９】
本発明に係る電気刺激器具は、薄く且つ伸縮性のある導電性の経編地を用いて装着部を形成するため、従来品と比較して着用が容易であることに加え、優れた装着感を有している。さらに、本発明に用いる経編地は糸表面に銀メッキを施し、このメッキ糸を挿入糸として編み込むことで、銀の使用量を低減することができる。これにより、装着部を安価で提供することができる。
【図面の簡単な説明】
【００１０】
【図１】本発明に係る電気刺激器具を示す概略構成図である。
【図２】本発明に係る電気刺激器具の装着部及び電極部の例を示す図である。
【図３】本発明に係る電気刺激器具の経編布の編成組織図である。
【図４】本発明に係る電気刺激器具の経編布の編成組織図である。
【図５】電気刺激器具使用時の誘発電位のグラフである。
【図６】経編布を生体電極に用いた計測装置を示す図である。
【図７】経編布を生体電極に用いて取得した心電図のグラフである。
【発明を実施するための形態】
【００１１】
本発明に係る電気刺激器具の実施の形態について図面に基づいて説明する。図１に示す本発明に係る電気刺激器具８０は、使用者の身体の特定部位（経皮的神経電気刺激を行う部位）に装着する装着部３０と、この装着部３０の装着位置から所定の間隔をとって使用者の身体に設置する電極部４０と、装着部３０と電極部４０との間に所定の電圧を間欠的に印加する電源部３４と、装着部３０と電源部３４とを接続するケーブル１２ａと、電極部４０と電源部３４とを接続するケーブル１２ｂと、を備えている。
【００１２】
装着部３０は後述の導電性を有する経編布３２で形成され、前述のように経皮的神経電気刺激を行う使用者の皮膚表面部位（特定部位）に装着する。尚、装着部３０の形状に特に限定はなく、例えば特定部位が使用者の頭部である場合には図２（ａ）、図２(ｂ)に示すように、ヘアバンドや帽子形状としても良い。また、特定部位が使用者の胴体である場合には図２(ｃ)に示すようにシャツ形状としても良いし、特定部位が使用者の腕、脚、手首等の場合には、図１に示すように、その部位に装着可能な筒形状としても良い。さらに、装着部３０は不特定の特定部位に巻き付けて設置が可能なテープ（帯）状であっても良い。尚、装着部３０は特定部位に応じた最適な形状のものに適宜選択、付け替え可能としても良い。
【００１３】
電極部４０は、装着部３０と対をなす電極であり、前述のように特定部位から適度な距離を置いて使用者の肌に設置する。電極部４０の使用者への設置方法及び形状は如何なるものでも良く、図１に示すように身体に付け剥がしが可能な粘着パッドとしても良いし、図２（ａ）、（ｃ）に示すようにベルトやバンドでも良い。また、図２（ｂ）に示すように、身体の一部を挟持するクランプとしても良い。
【００１４】
電源部３４は所定のパルス電圧を発生する周知の電源装置である。ここで、電源部３４の構成例を説明する。尚、ここで説明する電源部３４の構成は一例であるから、本発明の電源部３４は特にこの構成に限定されるものではない。
【００１５】
図１に示す本発明に好適な電源部３４は、使用者や施術者が電源部３４の操作等を行うための操作部６０と、電源部３４の各部を制御する制御部６２と、パルス電圧の印加回数もしくは印加時間を計測するタイマ部６３と、設定されたパルパルス信号を生成するパルス電圧発生部６４と、生成されたパルス信号の出力を調整する出力電圧調整部６５と、調整されたパルス信号を昇圧する周知の昇圧トランス等の昇圧部６６と、を有している。
【００１６】
電源部３４の操作部６０は、使用者や施術者が電源部３４のＯＮ／ＯＦＦ、パルス電圧の印加スタートとストップ、及び印加するパルス電圧、パルス幅、パルス間隔、印加回数等を入力可能な周知の入力手段を用いることができる。尚、パルス電圧は、印加時間（回数）とパルス電圧のみを設定可能とし、パルス信号自体は固定としても良い。
【００１７】
次に、装着部３０に用いる経編布３２に関して説明を行う。本発明に係る経編布３２は、編糸１００と、当該編糸１００に芯糸として挿入される挿入糸とを有し、挿入糸は銀メッキにより導電性が付与された導電糸２００ａ、２００ｂを含んでいる。
【００１８】
次に、本発明に好適な導電糸２００ａ、２００ｂの構成を説明する。尚、以下に示す導電糸２００ａ、２００ｂの構成は好適な一例であるから、特にこれに限定されるわけではなく、単に銀メッキを施したメッキ糸を導電糸２００ａ、２００ｂとして使用しても良い。
【００１９】
本発明に好適な導電糸２００ａ、２００ｂは、例えば３０〜４０デシテックスのナイロン糸表面に銀メッキを施して４０〜５０デシテックスとしたメッキ糸と、弾性を有する例えば４０〜５０デシテックスのウレタン系弾性糸とで構成され、このメッキ糸を弾性糸に巻き付けることで形成する。この構成によれば、導電糸２００ａ、２００ｂが導電性と弾性とを同時に兼ね備えるものとなり、編糸１００と導電糸２００ａ、２００ｂのみで導電性と伸縮性とを兼ね備えた経編布３２を編成することができる。尚、この導電糸２００ａ、２００ｂを経編布３２に用いる場合、編糸１００は５０〜６０デシテックスのナイロン糸を用いることが好ましい。
【００２０】
糸に対する銀メッキの形成方法は真空メッキ、気相メッキ等、周知のメッキ方法を用いることができる。また、銀メッキのメッキ量は多くなる程、材料コストが増大する。このため糸に施す銀メッキの量は導電性を損なわない範囲でなるべく少量とすることが好ましい。この点、上記の好適な導電糸２００ａ、２００ｂの構成では、メッキ量が糸の重量に対して２０ｗｔ％〜４０ｗｔ％、経編布３２の重量に対して８ｗｔ％〜１３ｗｔ％程度で十分な導電性を確保することが可能である。このため、導電性を有する経編布３２を安価で提供することができる。
【００２１】
また、銀は優れた抗菌性を有しており、銀メッキの施された導電糸２００ａ、２００ｂが編み込まれた経編布３２は導電性とともに抗菌性を有する。これにより、本発明の装着部３０は衛生面においても優れた効果を有する。
【００２２】
尚、編糸１００、挿入糸（導電糸２００ａ、２００ｂ）の材質、太さは上記の例に限定されるわけではなく、経編布３２に要求される強度、厚み、伸縮性、使用形態等に応じて、所定の太さのモノフィラメント、マルチフィラメント又は短繊維から成る紡績糸を選択して用いることができる。例えばマルチフィラメントとしてはビスコースレーヨン糸、キュポラアンモニウムレーヨン糸、アセテートレーヨン糸あるいは各種合成繊維マルチフィラメント糸を用いることができる。また、紡績糸としては綿、羊毛、麻等の天然繊維、ビスコース糸の各種の人造繊維の短繊維、各種の合成繊維の短繊維をそれぞれ単独又は混合して紡績した糸を用いることができる。また、ポリアミド繊維、ポリエステル繊維等の各種合成繊維やガラス繊維等をモノフィラメント、マルチフィラメントとして用いることができる。
【００２３】
次に、本発明に用いる経編布３２の好適な編成方法の例を図３、図４の編成組織図を用いて説明する。ここで、図３、図４中の細い短破線で示す糸は編糸１００であり、太い実線で示す糸は第１の導電糸２００ａであり、太い破線で示す糸は第２の導電糸２００ｂである。尚、図３、図４の編成方法は好適な一例であるから、銀メッキにより導電性を付与された導電糸を有し、且つ各導電糸が全て導通していればこの編成方法に限定されるものではない。
【００２４】
図３に示す経編布３２では、編糸１００が隣接するウェール間で鏡面対称に編成されてネット経編地を形成する。そして、第１の導電糸２００ａと第２の導電糸２００ｂとが、編糸１００で編成されたネット経編地に図３に示すように挿入される。このとき、第１の導電糸２００ａは互いに隣接するウェールの間で左右に振られ、また第２の導電糸２００ｂは互いに隣接するウェールの間で第１の導電糸２００ａとは反対方向（鏡面対称）に左右に振られる。これにより、第１の導電糸２００ａと第２の導電糸２００ｂとは隣接するウェールの間で交叉し、経編布３２中の全ての導電糸２００ａ、２００ｂが電気的に導通する。尚、図３に示す構成では、弾性を兼ね備えた前述の導電糸２００ａ、２００ｂを用いることで、経編布３２に伸縮性を付与することができる。
【００２５】
また、図４に示す経編布３２では、短破線で示す編糸１００がそれぞれのウェールで鎖編みに編成される。また、細い長破線で示す弾性糸１２０がそれぞれのウェールで左右に振られながら編糸１００の鎖編みに挿入される。さらに、第１の導電糸２００ａと第２の導電糸２００ｂとが、編糸１００、弾性糸１２０で編成されたネット経編地に図４に示すように挿入される。このとき、第１の導電糸２００ａは互いに隣接するウェールの間で左右に振られ、また第２の導電糸２００ｂは互いに隣接するウェールの間で第１の導電糸２００ａとは反対方向に左右に振られる。これにより、第１の導電糸２００ａと第２の導電糸２００ｂとは隣接するウェールの間で交叉し、経編布３２中の全ての導電糸２００ａ、２００ｂが電気的に導通する。尚、図４に示す経編布３２は弾性糸１２０によりウェール方向に伸縮性を有する。
【００２６】
上記のように本発明に用いる経編布３２は、銀メッキにより導電性が付与された導電糸２００ａ、２００ｂを挿入糸として編み込むことで、銀の使用量を抑えながら十分な導電性を有することができる。これにより、装着部３０を安価に提供することが可能となり、装着部３０を短期間で気軽に交換することができる。また、使用者毎に専用の装着部３０を用意したり、装着部３０を使い捨てとすることができる。これにより、装着部３０の衛生状態を常に良好に維持することができる。
【００２７】
次に、電気刺激器具８０の動作を説明する。先ず、経皮的神経電気刺激を行う使用者の特定部位に装着部３０を装着する。尚、装着部３０は使用者の特定部位の素肌に直接接触するよう装着する。このとき、本発明の装着部３０は薄く伸縮性を有しているため、使用者に運動機能障害がある場合でも比較的楽に装着することが可能である。
【００２８】
ここで、市販されている従来の電気刺激器具の着用時間と、本発明の装着部３０の着用時間とを比較すると、健常者の場合では従来器具が平均約２２秒であったのに対し、本発明の装着部３０は平均約１１秒であった。また、装着部位に拘縮を有する人を想定して、意識的に手を閉じた被験者に対し同様の第三者による着用時間を計測したところ、従来器具が平均約３２秒であったのに対し、本発明の装着部３０は平均約１６秒であった。このことから、本発明の装着部３０は薄く伸縮性があるため、従来器具よりも楽に装着可能であることが分かる。
【００２９】
また、被験者に装着感を５段階で評価してもらったところ、従来器具の評価は５段階中の評価３（評価内容・普通）が最多であったのに対し、本発明の装着部３０の評価は５段階中の評価４（評価内容・良い）が最多であった。このことから、本発明の装着部３０は薄く伸縮性があるため、従来器具と比べて装着感に優れることが分かる。
【００３０】
次に、電極部４０を装着部３０から適度な距離を置いて使用者の肌に設置する。次に、装着部３０、電極部４０を、ケーブル１２ａ、１２ｂを介して電源部３４と接続する。このとき、通常は装着部３０側を正極（＋）とし、電極部４０側を負極（−）とする。
【００３１】
次に、使用者もしくは施術者が操作部６０を操作して、パルス電圧、パルス幅、パルス間隔、印加回数等の出力条件を入力する。印加するパルス電圧は、治療の初期段階では、認知閾値電圧、もしくは認知閾値電圧より若干低い電圧で行うことが効果的である。尚、認知閾値電圧とは、使用者が電圧の印加を認識できる下限の電圧値であり、印加電圧値を０Ｖから徐々に上げて行き使用者が電圧の印加を認識したときの電圧値である。この電圧値は個人差もあるが概ね３０Ｖ前後である。よって、印加するパルス電圧は概ね１０Ｖ〜３０Ｖとすることが好ましい。また、パルス幅は１０μｓｅｃ〜３００μｓｅｃ程度とし、好適には１００μｓｅｃ前後が好ましい。さらに、パルス間隔は数Ｈｚ〜数十Ｈｚ程度とし、好適には２Ｈｚ前後が好ましい。またさらに、印加時間は通常１日３０分程度が好ましい。尚、これらの条件は、治療の段階、特定部位、障害のレベル、患者の個人差等により施術者等が適切な値を決定、指導することが好ましい。
【００３２】
次に、操作部６０を操作して電圧印加を開始する。これにより、設定された条件のパルス電圧が電源部３４からケーブル１２ａを介して装着部３０に出力される。そして、出力されたパルス電圧は、装着部３０を構成する経編布３２の導電糸２００ａ、２００ｂを介して装着部３０と接する装着部位（特定部位）の全体に電気刺激として印加される。尚、経編布３２は薄く伸縮性を有するため装着部位に密着し、肌との接触面積を広くとることができる。これにより、本発明の装着部３０は、肌との接触抵抗が低く、パルス電圧を装着部位に効率的に印加することができる。
【００３３】
装着部３０にパルス電圧が印加されると、装着部３０、電極部４０間に微弱電流が流下する。この微弱電流は使用者の神経を刺激し、この電気刺激は脳に伝達される。そして、この脳への刺激により、脳機能の改善等が図られる。
【００３４】
ここで、図１に示すように、使用者の手首に装着部３０を装着し、パルス幅１００μｓｅｃ、パルス電圧１１０Ｖ、パルス間隔２Ｈｚのパルス電圧を２００回印加した時の被験者の脳の誘発電位を、頭皮に貼り付けた電極により取得したグラフを図５に示す。ここで、図５(ａ)は本発明の装着部３０によりパルス電圧を印加した時の誘発電位のグラフであり、図５(ｂ)は従来器具によりパルス電圧を印加した時の誘発電位のグラフである。また、図５(ａ)、（ｂ）のＣＨ１（実線）は対側（パルス電圧の印加を行っている手と反対側の脳の半球側）の誘発電位を示し、ＣＨ２（破線）は同側（パルス電圧の印加を行っている手と同じ側の脳の半球側）の誘発電位を示す。
【００３５】
図５(ａ)、（ｂ）から、同一条件でパルス電圧を印加した場合の脳の誘発電位は、本発明の装着部３０を用いたものの方が大きいことが分かる。このことは、本発明の装着部３０による電気刺激が従来器具よりも効果的であることを意味している。この効果は、装着部３０が装着部位に密着していること、及び接触抵抗が低いことに起因するものと考えられる。
【００３６】
尚、本発明の装着部３０は薄く伸縮性を有しているため、装着部３０による電気刺激を行いながらリハビリテーションを行うことが可能である。そして、電気刺激器具８０による電気刺激とリハビリテーションを同時に行うことで、装着部位に対する更なる機能回復効果が期待される。例えば、電気刺激器具８０によるパルス電圧の印加を行いながら、手指のリハビリテーション用高反発ハンドグリップを握ることで、更なる機能回復効果が期待される。
【００３７】
また、経編布３２は例えば心電図や筋電図等の生体信号を取得するための記録プローブ（生体電極）として使用することが可能である。ここで、図６（ａ）に経編布３２を生体電極として用いた計測装置７０のブロック図の例を示す。
【００３８】
図６（ａ）に示す計測装置７０は、保持部材に経編布３２が設置された生体電極部５０と、生体電極部５０からの生体信号を増幅する増幅部１４と、増幅された生体信号を処理、出力する計測部１６と、を有している。
【００３９】
計測装置７０の生体電極部５０は、生体電極としての経編布３２を所定の大きさにカットし、保持部材に設置することで構成される。保持部材は経編布３２を身体Ｂに接触するように保持できれば如何なるものでも良く、例えば図６（ｂ）、（ｃ）に示すようにベルトやバンド状のものでも良いし、図６（ｄ）に示すようにシャツ、帽子等の衣服状としても良い。また、経編布３２は必要に応じて保持部材に複数設置しても良い。ここで、図６（ｂ）は保持部材に経編布３２（生体電極）を１つ設置した例えば心電図の手足用の生体電極部５０の例を示している。また、図６（ｃ）は保持部材に４つの経編布３２（生体電極）を設置した例えば筋電図取得用の生体電極部５０の例を示している。また、図６（ｄ）はシャツ型の保持部材に６つの経編布３２（生体電極）を設置した例えば心電図の胸部用の生体電極部５０の例を示している。そして、各経編布３２はケーブル１２ｃを介してそれぞれ増幅部１４と接続される。
【００４０】
次に、計測装置７０の動作を説明する。先ず、計測装置７０をオンする。次に、生体電極部５０を被験者の身体Ｂの所定の位置に取り付ける。この際、被験者の身体Ｂの肌と生体電極部５０の経編布３２とを直接接触させる。これにより、経編布３２（生体電極）は被験者の生体信号を取得する。取得された生体信号はケーブル１２ｃを介して増幅部１４に入力する。増幅部１４は生体電極部５０からの生体信号を増幅して計測部１６に出力する。計測部１６は増幅部１４からの増幅された生体信号を処理しモニタや記録手段等に出力する。これにより、計測装置７０が例えば心電図測定装置であれば心電図が出力され、筋電図測定装置であれば筋電図が出力される。
【００４１】
ここで、経編布３２を生体電極として用いたときの心電図の計測結果を図７に示す。図７より、経編布３２を生体電極として用いた場合でも通常の電極を用いた時と同様の心電図が取得できており、よって経編布３２は生体電極として十分に使用可能であることがわかる。そして、生体電極に安価な経編布３２を用いることで、電気刺激器具８０の装着部３０と同様、生体電極（経編布３２）を短期間で気軽に交換することができる。また、生体電極（経編布３２）を使い捨てとすることができる。これにより、生体電極部５０の衛生状態を常に良好に維持することができる。
【００４２】
以上のように、本発明に係る電気刺激器具８０は装着部３０を薄く伸縮性を備えた導電性を有する経編布３２で構成するため、使用者に運動機能障害がある場合でも比較的楽に装着することができる。また、装着部３０が薄く素肌にフィットするため優れた装着感を有するとともに、肌との接触抵抗が低くパルス電圧を装着部位に効率的に印加することができる。さらに、装着部３０による電気刺激を行いながらリハビリテーションを行うことが可能であり、これによる更なる機能回復効果が期待できる。尚、本発明に係る電気刺激器具８０は医療のみならず、疲労回復や痩身（ダイエット）等を目的とした健康器具にも適用が可能である。
【００４３】
尚、本例で示した電気刺激器具８０の構成は一例であり、各部の形状、構成、電源部の構成、回路等は上記の例に限定されるわけではなく、本発明の要旨を逸脱しない範囲で変更して実施することが可能である。
【符号の説明】
【００４４】
３０    装着部
３２    経編布
３４    電源部
４０    電極部
８０    電気刺激器具
１００  編糸
２００ａ、２００ｂ  導電糸
【図１】
2015146947.tif 000003
【図２】
2015146947.tif 000004
【図３】
2015146947.tif 000005
【図４】
2015146947.tif 000006
【図５】
2015146947.tif 000007
【図６】
2015146947.tif 000008
【図７】
2015146947.tif 000009